(57)【要約】【課題】商品陳列室内に上下方向に複数段の商品陳列部が設けられている場合において、各商品陳列部に陳列された商品を落下する塵や埃から保護する。【解決手段】前面に開口４が形成されて内部に商品陳列室５が形成された本体ケース３と、商品陳列室５内に上下方向に配列された複数段の商品陳列部６、７ａ、７ｂ、７ｃと、商品陳列部７ａ、７ｂ、７ｃの先端部に設けられ、下向きとなる塵埃保護位置と上向きとなる商品出し入れ位置とに回動可能なフード１４ａ、１４ｂ、１４ｃとを有する。【選択図】図１
2019187635.tif 000002
【特許請求の範囲】
【請求項１】
前面に開口が形成されて内部に商品陳列室が形成された本体ケースと、
前記商品陳列室内に上下方向に配列された複数段の商品陳列部と、
前記商品陳列部の先端部に設けられ、下向きとなる塵埃保護位置と上向きとなる商品出し入れ位置とに回動可能なフードと、
を有することを特徴とするオープンショーケース。
【請求項２】
前記本体ケースに形成され、前記開口の上部側に位置する冷気吹出口と前記開口の下部側に位置する冷気吸込口とを有して冷却器が駆動されることにより発生する冷気が流れる冷気ダクトを有し、
塵埃保護位置に回動した前記フードは、前記冷気吹出口から吹き出した冷気が前記冷気吸込口に向けて流れる向きに傾斜していることを特徴とする請求項１記載のオープンショーケース。
【請求項３】
前記冷気ダクトに前記商品陳列部の上面側に対向して位置する冷気通気孔が形成され、
塵埃保護位置に回動した前記フードの先端部とそのフードの下側に位置する前記商品陳列部との間に、前記冷気通気孔から前記商品陳列部の上面側に流入した冷気が流れる隙間が設けられていることを特徴とする請求項２記載のオープンショーケース。
【請求項４】
前記フードは、前記商品陳列部の先端部に後付可能に取付けられていることを特徴とする請求項１ないし３のいずれか一項に記載のオープンショーケース。
【発明の詳細な説明】
【技術分野】
【０００１】
本発明は、商品陳列部に陳列された商品を落下する塵や埃から保護できるようにしたオープンショーケースに関する。
【背景技術】
【０００２】
従来、スーパーマーケットやコンビニエンスストア等の店舗では、前面に開口が形成されて内部に商品陳列室が形成されたオープンショーケースが用いられている。このようなオープンショーケースにおいては、商品陳列室内に陳列された商品を落下する塵や埃から保護したいという要望があり、下記特許文献１に記載されたように、フードを備えたスニーズガードを設けたものが知られている。
【先行技術文献】
【特許文献】
【０００３】
【特許文献１】特開２００９−２２６０５８号公報
【発明の概要】
【発明が解決しようとする課題】
【０００４】
しかしながら、特許文献１に記載されているオープンショーケースは、商品陳列室内の商品陳列部は１段のみであり、フードはオープンショーケースの上部に１つ設けられているだけである。このため、商品陳列室内に上下方向に複数段の商品陳列部が設けられている場合には、最上段の商品陳列部に陳列された商品についてはフードによって落下する塵や埃から保護することはできるが、二段目以下の商品陳列部に陳列された商品については、その商品とフードとの距離が大きくなり、落下する塵や埃から商品を保護することが難しくなっている。
【０００５】
本発明は、このような課題を解決するためになされたものであり、その目的は、商品陳列室内に上下方向に複数段の商品陳列部が設けられている場合において、各商品陳列部に陳列された商品を落下する塵や埃から保護することができるオープンショーケースを提供することである。
【課題を解決するための手段】
【０００６】
本発明に係るオープンショーケースは、前面に開口が形成されて内部に商品陳列室が形成された本体ケースと、前記商品陳列室内に上下方向に配列された複数段の商品陳列部と、前記商品陳列部の先端部に設けられ、下向きに回動した塵埃保護位置と上向きに回動した商品出し入れ位置とに回動可能なフードと、を有する。
【０００７】
また、前述のオープンショーケースにおいて、前記本体ケースに形成され、前記開口の上部側に位置する冷気吹出口と前記開口の下部側に位置する冷気吸込口とを有して冷却器が駆動されることにより発生する冷気が流れる冷気ダクトを有し、塵埃保護位置に回動した前記フードは、前記冷気吹出口から吹き出した冷気が前記冷気吸込口に向けて流れる向きに傾斜していることが望ましい。
【０００８】
また、前述のオープンショーケースにおいて、前記冷気ダクトの前記商品陳列部の上面側に対向する位置に冷気通気孔が形成され、塵埃保護位置に回動した前記フードの先端部とそのフードの下側に位置する前記商品陳列部との間に、前記冷気通気孔から前記商品陳列部の上面側に流入した冷気が流れる隙間が設けられていることが望ましい。
【０００９】
また、前述のオープンショーケースにおいて、前記フードは、前記商品陳列部の先端部に後付可能に取付けられていることが望ましい。
【発明の効果】
【００１０】
本発明に係るオープンショーケースによれば、商品陳列室内に設けられた複数段の商品陳列部の先端部に設けられたフードを、下向きとなる塵埃保護位置に回動させることにより、そのフードの下側に位置する商品陳列部に陳列された商品を落下する塵や埃から保護することができる。また、フードを上向きとなる商品出し入れ位置に回動させることにより、そのフードの下側に位置する商品陳列部からの商品の取出しやその商品陳列部への商品の陳列作業を、フードが妨げになることなくスムーズに行うことができる。
【００１１】
また、塵埃保護位置に回動したフードは、冷気吹出口から吹き出した冷気が冷気吸込口に向けて流れる向きに傾斜しているので、冷気吹出口から吹き出して冷気吸込口から吸い込まれる冷気のエアカーテンの形成を助長することができ、商品陳列部に陳列されている冷却する必要がある商品に対する冷気のエアカーテンによる冷却性能をより一層高めることができる。
【００１２】
また、冷気ダクト内を流れる冷気の一部が冷気通気孔から商品陳列部の上面側に流入し、その冷気は、塵埃保護位置に回動したフードの先端部とそのフードの下側に位置する商品陳列部との間に設けられた隙間から流れ出るので、この冷気によって商品陳列部に陳列されている冷却する必要がある商品の冷却を促進することができ、その商品の冷却性能をより一層高めることができる。
【００１３】
また、フードは商品陳列部の先端部に後付可能に取付けられているため、当初はフードを有しない既存のオープンショーケースであってもフードを後付けすることができ、陳列された商品を落下する塵や埃から保護する機能を後から追加することができる。
【図面の簡単な説明】
【００１４】
【図１】フードを塵埃保護位置に回動した状態を示すオープンショーケースの断面側面図である。
【図２】フードを商品出し入れ位置に回動した状態を示すオープンショーケースの断面側面図である。
【発明を実施するための形態】
【００１５】
本発明の一実施形態について、図面に基づいて説明する。図１及び図２は、オープンショーケース１の全体構造を示す縦断側面図であり、このオープンショーケース１は、基台２と、基台２上に載置された本体ケース３とを有している。
【００１６】
本体ケース３は、断面形状コの字型をした断熱部材により形成されており、この本体ケース３の前面に開口４が形成され、本体ケース３の内部に商品陳列室５が形成されている。商品陳列室５内には、商品陳列部であるデッキパン６、商品陳列部である商品陳列棚７ａ、７ｂ、７ｃが上下方向に配列されている。
【００１７】
本体ケース３には、内周に沿って略コの字型の冷気ダクト８が形成され、この冷気ダクト８内に冷却器９と送風ファン１０とが設置されている。そして、冷却器９が駆動されることにより冷気ダクト８内の空気が冷やされて冷気が生成され、その冷気は送風ファン１０が駆動されることにより冷気ダクト８内を流れるようになっている。なお、冷却器９には、冷媒を圧縮する圧縮機（図示せず）、圧縮された冷媒を凝縮する凝縮器（図示せず）、凝縮された冷媒を断熱膨張させる膨張弁（図示せず）等が接続されている。
【００１８】
冷気ダクト８の一端には、開口４の上部側に位置して斜め下方向きに開口する冷気吹出口１１が形成されている。冷気ダクト８の他端には、開口４の下部側に位置して上向きに開口する冷気吸込口１２が形成されている。冷気ダクト８内を流れた冷気は、冷気吹出口１１から下向きに吹出して冷気吸込口１２から吸い込まれ、再び冷気ダクト８を流れるようになっている。そして、冷気吹出口１１から吹き出して冷気吸込口１２から吸い込まれる冷気により、開口４を覆う冷気のエアカーテンが形成されている。
【００１９】
各商品陳列棚７ａ、７ｂ、７ｃの先端部には、フード１４ａ、１４ｂ、１４ｃが取付けられている。各フード１４ａ〜１４ｃは、緩やかに湾曲した弧状に形成され、上方が凸状となる向きに取付けられている。また、各フード１４ａ〜１４ｃは上下方向に回動可能に取付けられており、図１に示すように先端が下向きとなる塵埃保護位置と、図２に示すように先端が上向きとなる商品出し入れ位置とに回動するようになっている。
【００２０】
フード１４ａ〜１４ｃが図１に示す塵埃保護位置に回動している場合、各フード１４ａ〜１４ｃは、そのフード１４ａ〜１４ｃの下側に位置する商品陳列棚７ｂ、７ｃやデッキパン６に陳列された商品を落下する塵や埃から保護することができるようになっている。例えば、フード１４ａを塵埃保護位置に回動させることにより、そのフード１４ａの下側に位置する商品陳列棚７ｂに陳列された商品を落下する塵や埃から保護することができる。
【００２１】
また、塵埃保護位置に回動したフード１４ａ〜１４ｃは、冷気吹出口１１から吹き出した冷気が冷気吸込口１２に向けて流れる向きに傾斜している。
【００２２】
また、冷気ダクト８を形成する壁面の一部であって商品陳列棚７ｂ、７ｃの上面側やデッキパン６の上面側に対向する部分には、冷気ダクト８内を流れる冷気の一部が通過可能な複数の冷気通気孔１３が形成されている。
【００２３】
そして、フード１４ａ〜１４ｃが塵埃保護位置に回動している場合、各フード１４ａ〜１４ｃの先端部とそのフード１４ａ〜１４ｃの下側に位置する商品陳列棚７ｂ、７ｃやデッキパン６との間には、隙間１５が設けられている。
【００２４】
つぎに、フード１４ａ〜１４ｃが図２に示す商品出し入れ位置に回動している場合、各フード１４ａ〜１４ｃの下側に位置する商品陳列棚７ｂ、７ｃやデッキパン６からの陳列されている商品の取出しや、その商品陳列棚７ｂ、７ｃやデッキパン６への商品の陳列作業を、フード１４ａ〜１４ｃが妨げになることなくスムーズに行うことができるようになっている。例えば、フード１４ｃを商品出し入れ位置に回動させることにより、そのフード１４ｃの下側に位置するデッキパン６からの商品の取出しや、デッキパン６への商品の陳列作業を、フード１４ｃが妨げになることなくスムーズに行うことができる。
【００２５】
商品陳列棚７ａ〜７ｃの先端部へのフード１４ａ〜１４ｃの取付構造は、ネジ止めされた構造であり、フードを有しない既存のオープンショーケースにおいて後付可能な取付構造となっている。
【００２６】
このような構成において、このオープンショーケース１では、フード１４ａ〜１４ｃを図１に示す塵埃保護位置に回動させ、さらに、商品陳列棚７ａ〜７ｃやデッキパン６に陳列された商品が冷却する必要がある商品である場合には、冷却器９と送風ファン１０とを駆動させる。
【００２７】
まず、フード１４ａ〜１４ｃが塵埃保護位置に回動させることにより、各フード１４ａ〜１４ｃは、そのフード１４ａ〜１４ｃの下側に位置する商品陳列棚７ｂ、７ｃやデッキパン６に陳列された商品を落下する塵や埃から保護することができる。
【００２８】
つぎに、商品陳列棚７ａ〜７ｃやデッキパン６に陳列された商品が冷却する必要がある商品である場合には、冷却器９と送風ファン１０とを駆動させる。冷却器９が駆動されることにより冷気ダクト８内の空気が冷やされて冷気となり、送風ファン１０が駆動されることによりその冷気が冷気ダクト８内を矢印方向に流れる。冷気ダクト８内を流れた冷気は、冷気吹出口１１から冷気吸込口１２に向けて吹出し、開口４を覆う冷気のエアカーテンが形成される。この冷気のカーテンが形成されることにより、商品陳列室５内が冷やされるとともに本体ケース３外の温かい空気が商品陳列室５内に入り込むことが阻止され、商品陳列棚７ａ〜７ｃやデッキパン６に陳列された商品が冷却される。冷気吸込口１２から吸い込まれた冷気は、冷却器９により再び冷却されるとともに冷気ダクト８内を循環される。
【００２９】
また、塵埃保護位置に回動しているフード１４ａ〜１４ｃは、冷気吹出口１１から吹き出した冷気が冷気吸込口１２に向けて流れる向きに傾斜しているので、これらのフード１４ａ〜１４ｃにより冷気のエアカーテンの形成が助長される。そいて、冷気のエアカーテンの形成が助長されることにより、商品陳列棚７ａ〜７ｃやデッキパン６に陳列されている商品に対する冷気のエアカーテンによる冷却性能をより一層高めることができる。
【００３０】
また、冷気ダクト８を形成する壁面の一部に冷気通気孔１３が形成され、この冷気通気孔１３から商品陳列棚７ｂ、７ｃやデッキパン６の上面側に冷気が流入し、その冷気は、塵埃保護位置に回動しているフード１４ａ〜１４ｃの先端部とそのフード１４ａ〜１４ｃの下側に位置する商品陳列棚７ｂ、７ｃやデッキパン６との間に設けられた隙間１５から流れ出る。このため、この冷気によって商品陳列棚７ａ〜７ｃやデッキパン６に陳列されている冷却する必要がある商品の冷却を促進することができ、その商品の冷却性能を高めることができる。
【００３１】
つぎに、図２に示すように、フード１４ａ〜１４ｃを上向きとなる商品出し入れ位置に回動させることにより、フード１４ａ〜１４ｃの下側に位置する商品陳列棚７ｂ、７ｃやデッキパン６から商品を取出したり、商品を陳列する作業を行う場合、フード１４ａ〜１４ｃが妨げになることなくスムーズ行うことができる。なお、図２では、全てのフード１４ａ〜１４ｃを商品出し入れ位置に回動させた状態を示しているが、実際には、状況に応じて塵埃保護位置に回動しているフード１４ａ〜１４ｃを一つずつ商品出し入れ位置に回動させる。例えば、商品陳列棚７ｂに陳列されている商品を取出す場合には、その商品陳列棚７ｂの上側に位置するフード１４ａのみを商品出し入れ位置に回動させ、他のフード１４ｂ、１４ｃは塵埃保護位置に回動した状態に維持しておく。
【符号の説明】
【００３２】
１    オープンショーケース
２    基台
３    本体ケース
４    開口
５    商品陳列室
６    デッキパン（商品陳列部）
７ａ、７ｂ、７ｃ  商品陳列棚（商品陳列部）
８    冷気ダクト
９    冷却器
１０    送風ファン
１１    冷気吹出口
１２    冷気吸込口
１３    冷気通気孔
１４ａ、１４ｂ、１４ｃ  フード
１５    隙間
【図１】
2019187635.tif 000003
【図２】
2019187635.tif 000004